(57)【要約】【課題】煩わしさを伴わずに携帯可能であり、且つ、より確実に犯罪抑制の実効を図り得る防犯装置を提供する。【解決手段】本発明の防犯装置１０によれば、握力検知装置１１及び噴射装置１２がともにユーザの手に装着され得る。また、誰かにバッグが奪われそうになったり、抱きつかれたり等の不測の事態に応じてユーザが手を握り、握力検知装置１１により「基準時間」にわたり「噴射閾値」以上の握力が検知されたとき、噴射装置１２が着色液を噴射する。これにより、犯人の衣服、自転車やオートバイ等に着色液が付着するので、着色液が付着した衣服を身に着けている者や、着色液が付着した自転車やバイク等の乗り物の所持者を犯人として特定することができる。【選択図】  図２
2006031634.tif 000002
【特許請求の範囲】
【請求項１】
ユーザの手に装着され、ユーザの握力を検知する握力検知装置と、
握力検知装置と同じくユーザの手に装着され、握力検知装置が基準時間にわたり噴射閾値以上の握力を検知したとき、ユーザの手背側から着色液を噴射する噴射装置とを備えていることを特徴とする防犯装置。
【請求項２】
警報音を生じさせる警報装置を備え、警報装置により警報音が生じた後、握力検知装置により基準時間にわたり噴射閾値以上の握力が検知されたとき、噴射装置が着色液を噴射することを特徴とする請求項１記載の防犯装置。
【請求項３】
握力検知装置により保留時間にわたり警報閾値以上の握力が検知されたとき、警報装置が警報音を生じさせることを特徴とする請求項２記載の防犯装置。
【請求項４】
警報装置により警報音が発生された後、握力検知装置により保留時間より短い基準時間にわたり噴射閾値以上の握力が検知されたとき、噴射装置が着色液を噴射することを特徴とする請求項３記載の防犯装置。
【請求項５】
警報装置により警報音が鳴らされた後、握力検知装置により基準時間にわたり警報閾値より大きい噴射閾値以上の握力が検知されたとき、噴射装置が着色液を噴射することを特徴とする請求項３又は４記載の防犯装置。
【請求項６】
握力検知装置により第ｎ基準時間（ｎ＝１，２，・・）にわたり第ｎ噴射閾値以上の握力が検知されたとき噴射装置が第ｎ着色液を噴射し、第ｎ着色液の噴射後、握力検知装置により第ｎ＋１基準時間にわたり第ｎ＋１噴射閾値以上の握力が検知されたとき噴射装置が第ｎ＋１着色液を噴射することを特徴とする請求項１、２、３、４又は５記載の防犯装置。
【請求項７】
噴射装置が、第ｎ＋１着色液よりも第ｎ着色液を多く噴射することを特徴とする請求項６記載の防犯装置。
【請求項８】
基準時間及び噴射閾値のうち一方又は両方のユーザによる調節を可能とする感度調節装置を備えていることを特徴とする請求項１、２、３、４、５、６又は７記載の防犯装置。
【請求項９】
握力検知装置が、ユーザの指に装着される第１部材と、ユーザが手を握ったときにユーザの手掌に当接して第１部材に対して可動である第２部材とを有するとともに、第１及び第２部材の相対的動力に応じてユーザの握力を検知することを特徴とする請求項１、２、３、４、５、６、７又は８記載の防犯装置。
【請求項１０】
噴射装置が、ユーザの手背に装着され、複数の孔から着色液が噴射される多孔体を有することを特徴とする請求項１、２、３、４、５、６、７、８又は９記載の防犯装置。
【請求項１１】
噴射装置による着色液の噴射を禁止するロック装置を備えていることを特徴とする請求項１〜１０のうちいずれかに記載の防犯装置。
【請求項１２】
噴射装置が刺激臭を有する着色液を噴射することを特徴とする請求項１〜１１のうちいずれかに記載の防犯装置。
【請求項１３】
握力検知装置及び噴射装置のうち一方又は両方に蛍光塗料が塗布されていることを特徴とする請求項１〜１２のうちいずれかに記載の防犯装置。
【請求項１４】
握力検知装置及び噴射装置のうち一方又は両方に光を断続的又は連続的に照射するライトを備えていることを特徴とする請求項１〜１３のうちいずれかに記載の防犯装置。
【発明の詳細な説明】
【技術分野】
【０００１】
本発明は、防犯装置に関する。
【背景技術】
【０００２】
従来、ひったくり等の種々の犯罪防止や、犯人撃退の観点からスプレーを用いた種々の防犯装置が提案されている（例えば、特許文献１，２）。ユーザが常に防犯装置を手に持っていれば、不測の事態に咄嗟に反応してスプレー剤を犯人に向かって噴射することが可能である。
【特許文献１】特開２００３−２１７０４４号公報
【特許文献２】特開２００３−２５４６９６号公報
【発明の開示】
【発明が解決しようとする課題】
【０００３】
しかし、犯人によりバッグが奪われかける等の出来事は稀なものであり、常に防犯装置を手にしていても使用機会が全くないこともありうるので、防犯装置を常時手にしていることはユーザにとっては煩わしい。
【０００４】
このため、防犯装置は通常バッグの中にしまわれた状態でユーザにより携帯されていることが多い。従って、犯人によりバッグが奪われそうになったり、抱きつかれたとき、ユーザはバッグから防犯装置を取り出した上で、スプレー剤をその犯人に向かって噴射するといった行動はとれないことが多い。また、ユーザはそのような突然の出来事にパニック状態に陥り、防犯装置を携帯していることすら頭の中から消えてしまう傾向が強い。
【０００５】
さらに、催涙ガスや刺激臭のある液体を噴射することで犯人を撃退することができたとしても、その後、犯人を特定することができなければ再び誰かがその犯人に襲われる可能性があり、犯罪抑制の実効が図れない。
【０００６】
そこで、本発明は、煩わしさを伴わずに携帯可能であり、且つ、より確実に犯罪抑制の実効を図り得る防犯装置を提供することを解決課題とする。
【課題を解決するための手段】
【０００７】
前記課題を解決するための本発明の防犯装置は、ユーザの手に装着され、ユーザの握力を検知する握力検知装置と、握力検知装置と同じくユーザの手に装着され、握力検知装置が基準時間にわたり噴射閾値以上の握力を検知したとき、ユーザの手背側から着色液を噴射する噴射装置とを備えていることを特徴とする。
【０００８】
本発明の防犯装置によれば、その握力検知装置及び噴射装置がともにユーザの手に装着され得るので、ユーザは煩わしさを伴わずに防犯装置を携帯することができる。また、握力検知装置及び噴射装置の形状、色彩、模様等をユーザの嗜好に応じたものにすることで、ユーザは防犯装置をアクセサリー感覚で抵抗感や違和感なく手に装着し得る。これにより、ユーザは物理的にも心理的にも楽に防犯装置を携帯することができる。
【０００９】
また、犯人（犯罪者のほか犯行未遂に終わった者も含む。以下同じ。）によりバッグが奪われそうになったり、抱きつかれたり等の不測の事態に応じてユーザが手を握り、握力検知装置により「基準時間」にわたり「噴射閾値」以上の握力が検知されたとき、噴射装置が着色液を噴射する。これにより、犯人の衣服、自転車やオートバイ等に着色液が付着する。人間は不測の事態に応じて緊張のために反射的に手を強く握る傾向がある。このため、ユーザは防犯装置を携帯していることを忘れていても、無意識のうちに手を握ることで噴射装置に着色液を噴射させることができる。着色液が付着した衣服を身に着けている者や、着色液が付着した自転車やバイク等の乗り物の所持者を犯人（又は犯罪容疑者）として特定することができる。着色液としては、家庭用洗剤等によって簡単に衣服等から払拭や洗浄ができないものが採用されることが好ましい。
【００１０】
一方、握力検知装置によって「基準時間」にわたり「噴射閾値」以上の握力が検知されなければ、噴射装置は着色液を噴射しない。従って、噴射閾値等が適当に設定されることで、不測の事態が生じていないにもかかわらずユーザが無意識に手を握っているうちに着色液が誤噴射されてしまい周囲に迷惑をかけるような事態が防止される。
【００１１】
第三者が誰かからカバンを奪う等の犯行を試みた場合、この防犯装置から噴射される着色液が衣服やバイク等についているとすぐに犯人として特定されるおそれがあるため、第三者に犯行を思いとどまらせる効果が期待できる。また、手背に装着される握力検知装置及び噴射装置のうち一方又は両方の形状、色彩、模様等を目立つものにすることで、ユーザが防犯装置を装着していることを第三者に容易に認識させ、第三者に犯行を思いとどまらせる効果が期待できる。
【００１２】
このように、本発明の防犯装置によれば、ユーザにとって煩わしさを伴わずに携帯可能であり、且つ、より確実に犯罪抑制の実効を図り得る。
【００１３】
また、本発明の防犯装置は、警報音を生じさせる警報装置を備え、警報装置により警報音が生じた後、握力検知装置により基準時間にわたり噴射閾値以上の握力が検知されたとき、噴射装置が着色液を噴射することを特徴とする。
【００１４】
本発明の防犯装置によれば、警報装置により警報音が生じたとき、不測の事態が生じている場合、ユーザが手を握り、握力検知装置により「基準時間」にわたり「噴射閾値」以上の握力が検知されることで噴射装置に着色液を噴射させることができる。また、警報音によって犯人をひるませ、その場を立ち去らせる効果が期待できる。一方、警報装置により警報音が生じたとき、不測の事態が生じていない場合、ユーザは手を握らないようにする、又は手の力を緩めることで着色液の誤噴射を回避することができる。
【００１５】
さらに本発明の防犯装置は、握力検知装置により保留時間にわたり警報閾値以上の握力が検知されたとき、警報装置が警報音を生じさせることを特徴とする。
【００１６】
本発明の防犯装置によれば、握力検知装置により「保留時間」にわたり「警報閾値」以上の握力が検知されたとき、警報装置により警報音が生じる。このとき不測の事態が生じていれば、ユーザが手を握り、握力検知装置により「基準時間」にわたり「噴射閾値」以上の握力が検知されることで噴射装置に着色液を噴射させることができる。一方、このとき不測の事態が生じていなければ、ユーザは手の力を緩めることで着色液の誤噴射を回避することができる。
【００１７】
また、本発明の防犯装置は、警報装置により警報音が発生された後、握力検知装置により保留時間より短い基準時間にわたり噴射閾値以上の握力が検知されたとき、噴射装置が着色液を噴射することを特徴とする。
【００１８】
本発明の防犯装置によれば、警報装置により警報音が生じた後、握力検知装置により保留時間よりも短い基準時間にわたり噴射閾値以上の握力が検知されたときに着色液が噴射される。警報音が生じた後もユーザが手を握る力を緩めなかった場合、不測の事態が生じている蓋然性が高いが、基準時間が保留時間よりも短い分だけ、このように不測の事態が生じている蓋然性が高い場合に噴射装置により着色液が迅速に噴射されうる。
【００１９】
さらに本発明の防犯装置は、警報装置により警報音が鳴らされた後、握力検知装置により基準時間にわたり警報閾値より大きい噴射閾値以上の握力が検知されたとき、噴射装置が着色液を噴射することを特徴とする。
【００２０】
本発明の防犯装置によれば、警報装置により警報音が生じた後、握力検知装置により基準時間にわたり警報閾値より大きい噴射閾値以上の握力が検知されたときに噴射装置により着色液が噴射される。警報音が生じた後でユーザが手を握る力を強めた場合、不測の事態が生じてユーザの状況が悪化している蓋然性が高いが、噴射閾値が警報閾値よりも大きい分だけ、このように不測の事態が生じてユーザの状況が悪化している蓋然性が高い場合に噴射装置により着色液が迅速に噴射されうる。
【００２１】
また、本発明の防犯装置は、握力検知装置により第ｎ基準時間（ｎ＝１，２，・・）にわたり第ｎ噴射閾値以上の握力が検知されたとき噴射装置が第ｎ着色液を噴射し、第ｎ着色液の噴射後、握力検知装置により第ｎ＋１基準時間にわたり第ｎ＋１噴射閾値以上の握力が検知されたとき噴射装置が第ｎ＋１着色液を噴射することを特徴とする。
【００２２】
本発明の防犯装置によれば、着色液が複数回にわたり噴射されうるので、犯人が犯行をしている時間が長引くほど、その衣服等への着色液の付着量が多くなっていく。これにより、この犯人に心理的圧迫感を与え、犯行の継続を思いとどまらせる効果が期待できる。
【００２３】
さらに本発明の防犯装置は、噴射装置が、第ｎ＋１着色液よりも第ｎ着色液を多く噴射することを特徴とする。
【００２４】
本発明の防犯装置によれば、犯人が犯行をしている時間が長引くほど徐々に１回あたりの着色液の噴射量が多くなっていくので、この犯人に心理的圧迫感を与え、犯行の継続を思いとどまらせる効果が期待できる。
【００２５】
また、本発明の防犯装置は、基準時間及び噴射閾値のうち一方又は両方のユーザによる調節を可能とする感度調節装置を備えていることを特徴とする。
【００２６】
本発明の防犯装置によれば、不測の事態が生じていないのにユーザが無意識のうちに手を握っていたため着色液が誤噴射されることがないように、且つ、それとは逆に不測の事態に応じてユーザが手を握っているのに着色液が噴射されないことがないように、基準時間及び噴射閾値のうち一方又は両方がユーザによって適当に調節され得る。
【００２７】
さらに本発明の防犯装置は、握力検知装置が、ユーザの指に装着される第１部材と、ユーザが手を握ったときにユーザの手掌に当接して第１部材に対して可動である第２部材とを有するとともに、第１及び第２部材の相対的動力に応じてユーザの握力を検知することを特徴とする。
【００２８】
本発明の防犯装置によれば、不測の事態に応じてユーザが手を握った場合、第２部材が手掌に当接することで、指に装着されている第１部材に対して動き、この相対的動力に応じて握力検知装置によってユーザの握力が検知される。
【００２９】
また、本発明の防犯装置は、噴射装置が、ユーザの手背に装着され、複数の孔から着色液が噴射される多孔体を有することを特徴とする。
【００３０】
本発明の防犯装置によれば、多孔体から着色液が複数方向に噴射されうるので、犯行者の衣服等に着色液をより確実に付着させることができ、これにより犯罪抑制の実効が図られる。
【００３１】
さらに本発明の防犯装置は、噴射装置による着色液の噴射を禁止するロック装置を備えていることを特徴とする。
【００３２】
本発明の防犯装置によれば、ユーザが雑踏を歩くとき等、犯人による犯行に接しない可能性が高いとき、ロック装置により着色液の噴射を禁止させることで、着色液の誤噴射により周囲の人間に多大な迷惑をかける事態を防止することができる。
【００３３】
また、本発明の防犯装置は、噴射装置が刺激臭を有する着色液を噴射することを特徴とする。
【００３４】
本発明の防犯装置によれば、犯人に対して刺激臭のある着色液が噴射されうるので、犯人に対して「匂いで犯行がばれたらどうしよう」等、心理的圧迫感を与え、犯行のさらなる継続を思いとどまらせることができる。
【００３５】
さらに本発明の防犯装置は、握力検知装置及び噴射装置のうち一方又は両方に蛍光塗料が塗布されていることを特徴とする。
【００３６】
本発明の防犯装置によれば、握力検知装置及び噴射装置のうち一方又は両方を目立たせることで犯人にユーザが本発明の防犯装置を装着していることを強く認識させ、これにより犯人が犯行に至るのを思いとどまらせる効果が期待できる。ユーザが人通りの少ない夜道を歩く場合には特に顕著な犯罪抑制効果が期待できる。
【００３７】
また、本発明の防犯装置は、握力検知装置及び噴射装置のうち一方又は両方に光を断続的又は連続的に照射するライトを備えていることを特徴とする。
【００３８】
本発明の防犯装置によれば、握力検知装置及び噴射装置のうち一方又は両方を目立たせることで犯人にユーザが本発明の防犯装置を装着していることを強く認識させ、これにより犯人が犯行に至るのを思いとどまらせる効果が期待できる。ユーザが人通りの少ない夜道を歩く場合には特に顕著な犯罪抑制効果が期待できる。
【発明を実施するための最良の形態】
【００３９】
本発明の防犯装置の実施形態について図面を用いて説明する。
【００４０】
図１は本発明の一実施形態としての防犯装置の構成説明図であり、図２は本発明の一実施形態における防犯装置の機能説明図である。
【００４１】
まず、本発明の一実施形態としての防犯装置の構成について図１を用いて説明する。
【００４２】
図１に示されている防犯装置１０は、ユーザの手に装着され、ユーザの握力を検知する握力検知装置１１と、同じくユーザの手に装着され、握力検知装置１１が基準時間にわたり噴射閾値以上の握力を検知したとき、ユーザの手背側から着色液を噴射する噴射装置１２とを備えている。
【００４３】
握力検知装置１１は、指挿通孔１１０に挿通されるユーザの指に装着される第１部材１１２と、ユーザが手を握ったときにユーザの手掌に当接して第１部材１１２に対して可動である第２部材１１４と、第１部材１１２に設けられたマイクロコンピュータ２０により構成され、第１部材１１２及び第２部材１１４の相対的動力に応じてユーザの握力を検知する握力検知ユニット２１とを備えている。
【００４４】
噴射装置１２は、ユーザの手背に装着され、複数の孔１２０から着色液が噴射される多孔体１２２と、着色液を貯蔵する貯蔵部１２４と、貯蔵部１２４に貯蔵されている着色液を多孔体１２２の孔１２０から噴出させるためのノズル部１２６と、マイクロコンピュータ２０により構成され、握力検知ユニット２１により検知される握力に応じて、ノズル部１２６による着色液の噴射を制御する噴射制御ユニット２２とを備えている（図示略）。
【００４５】
前記構成の防犯装置の機能について図２を用いて説明する。
【００４６】
図２に示されているように第２指（人差指）、第３指（中指）及び第４指（薬指）が挿通孔１１０に挿通されることでユーザの手に第１部材１１２が装着されている状態で手を握った場合、第２部材１１４が手掌に当接して第１部材１１２に対して動き、この動きに応じて握力検知ユニット２１によってユーザの握力が検知される。
【００４７】
そして、握力検知ユニットにより「基準時間」にわたり「噴射閾値」以上の握力が検知されたとき、噴射制御ユニット２２がノズル部１２６を作動させて図２に矢印で示されているように多孔体１２２の複数の孔１２０から貯蔵部１２４に貯蔵されていた着色液を噴射させる。多孔体１２２から着色液が複数方向に噴射されうるので、犯行者の衣服等に着色液をより確実に付着させることができる。なお、着色液の噴射の仕方は図２に示されているものには限られず、孔１２０の数、位置、向きや、ノズル１２６の位置、向き等をさまざまに調節することによって変更可能である。
【００４８】
前記機能を発揮する防犯装置１０によれば、握力検知装置１１及び噴射装置１２がともにユーザの手に装着され得るので、ユーザは煩わしさを伴わずに防犯装置１０を携帯することができる。また、握力検知装置１１及び噴射装置１２、特に手掌側に装着されて外部から目に付きやすい多孔体１２２の形状、色彩、模様等をユーザの嗜好に応じたものにすることで、ユーザは防犯装置１０をアクセサリー感覚で抵抗感や違和感なく手に装着し得る。これにより、ユーザは物理的にも心理的にも楽に防犯装置１０を携帯することができる。
【００４９】
また、犯人によりバッグが奪われそうになったり、抱きつかれたり等の不測の事態に応じてユーザが手を握ることで噴射装置１２が着色液を噴射する（図２参照）。これにより、犯人の衣服、自転車やオートバイ等に着色液が付着する。人間は不測の事態に応じて、緊張のために反射的に手を強く握る傾向がある。このため、ユーザは防犯装置１０を携帯していることを忘れていても、無意識のうちに手を握ることで噴射装置１２に着色液を噴射させることができる。着色液が付着した衣服を身に着けている者や、着色液が付着した自転車やバイク等の乗り物の所持者を犯人として特定することができる。着色液としては、家庭用洗剤等によって簡単に衣服等から払拭や洗浄ができないものが採用されることが好ましい。
【００５０】
一方、握力検知装置１１によって「基準時間」にわたり「噴射閾値」以上の握力が検知されなければ、噴射装置１２は着色液を噴射しない。従って、噴射閾値等が適当に設定されることで、不測の事態が生じていないにもかかわらずユーザが無意識に手を握っているうちに着色液が誤噴射されてしまい周囲に迷惑をかけるような事態が防止される。
【００５１】
第三者が誰かからカバンを奪う等の犯行を試みた場合、この防犯装置１０から噴射される着色液が衣服やバイク等についているとすぐに犯人として特定されるおそれがあるため、第三者に犯行を思いとどまらせる効果が期待できる。また、手背に装着される握力検知装置１１及び噴射装置１２のうち一方又は両方、特に手掌側にある多孔体１２２の形状、色彩、模様等を目立つものにすることで、ユーザが防犯装置１０を装着していることを第三者に容易に認識させ、第三者に犯行を思いとどまらせる効果が期待できる。
【００５２】
このように、本発明の防犯装置１０によれば、ユーザにとって煩わしさを伴わずに携帯可能であり、且つ、より確実に犯罪抑制の実効を図り得る。
【００５３】
なお、前記実施形態では基準時間にわたり噴射閾値以上の握力が検知された場合に着色液が噴射されたが（図２参照）、他の実施形態として基準回数にわたり噴射閾値以上の握力が検知された場合に着色液が噴射されてもよい。
【００５４】
また、防犯装置１０は、警報音を生じさせる警報装置を備え、警報装置により警報音が生じた後、握力検知装置１１により基準時間にわたり噴射閾値以上の握力が検知されたとき、噴射装置１２が着色液を噴射してもよい。
【００５５】
当該構成の防犯装置１０によれば、警報装置により警報音が生じたとき、不測の事態が生じている場合、ユーザが手を握り、握力検知装置１１により「基準時間」にわたり「噴射閾値」以上の握力が検知されることで噴射装置１２に着色液を噴射させることができる。また、警報音によって犯人をひるませ、その場を立ち去らせる効果が期待できる。一方、警報装置１１により警報音が生じたとき、不測の事態が生じていない場合、ユーザは手を握らないようにする、又は手の力を緩めることで着色液の誤噴射を回避することができる。
【００５６】
さらに握力検知装置１１により「保留時間」にわたり「警報閾値」以上の握力が検知されたとき、警報装置が警報音を発生してもよい。
【００５７】
また、警報装置により警報音が発生された後、握力検知装置１１により「保留時間より短い」基準時間にわたり噴射閾値以上の握力が検知されたとき、噴射装置１２が着色液を噴射してもよい。警報音が生じた後もユーザが手を握る力を緩めなかった場合、不測の事態が生じている蓋然性が高いが、基準時間が保留時間よりも短い分だけ、このように不測の事態が生じている蓋然性が高い場合に噴射装置１２により着色液が迅速に噴射されうる。
【００５８】
さらに警報装置により警報音が鳴らされた後、握力検知装置１１により基準時間にわたり「警報閾値より大きい」噴射閾値以上の握力が検知されたとき、噴射装置１２が着色液を噴射してもよい。警報音が生じた後でユーザが手を握る力を強めた場合、不測の事態が生じてユーザの状況が悪化している蓋然性が高いが、噴射閾値が警報閾値よりも大きい分だけ、このように不測の事態が生じてユーザの状況が悪化している蓋然性が高い場合に噴射装置１２により着色液が迅速に噴射されうる。
【００５９】
また、防犯装置１０は、握力検知装置１１により「第ｎ基準時間（ｎ＝１，２，・・）」にわたり「第ｎ噴射閾値」以上の握力が検知されたとき噴射装置１２が第ｎ着色液を噴射し、第ｎ着色液の噴射後、握力検知装置１１により「第ｎ＋１基準時間」にわたり「第ｎ＋１噴射閾値」以上の握力が検知されたとき噴射装置１２が第ｎ＋１着色液を噴射してもよい。
【００６０】
当該構成の防犯装置１０によれば、着色液が複数回にわたり噴射されうるので、犯人が犯行をしている時間が長引くほど、その衣服等への着色液の付着量が多くなっていく。これにより、この犯人に心理的圧迫感を与え、犯行の継続を思いとどまらせる効果が期待できる。
【００６１】
さらに噴射装置１２が、第ｎ＋１着色液よりも第ｎ着色液を多く噴射してもよい。
【００６２】
当該構成の防犯装置１０によれば、犯人が犯行をしている時間が長引くほど徐々に１回あたりの着色液の噴射量が多くなっていくので、この犯人に心理的圧迫感を与え、犯行の継続を思いとどまらせる効果が期待できる。
【００６３】
また、防犯装置１０は、基準時間及び噴射閾値のうち一方又は両方のユーザによる調節を可能とする感度調節装置を備えていてもよい。
【００６４】
当該構成の防犯装置１０によれば、不測の事態が生じていないのにユーザが無意識のうちに手を握っていたため着色液が誤噴射されることがないように、且つ、それとは逆に不測の事態に応じてユーザが手を握っているのに着色液が噴射されないことがないように、基準時間及び噴射閾値のうち一方又は両方がユーザによって適当に調節され得る。
【００６５】
また、防犯装置１０が噴射装置１２による着色液の噴射を禁止するロック装置を備えていてもよい。
【００６６】
当該構成の防犯装置１０によれば、ユーザが雑踏を歩くとき等、犯人による犯行に接しない可能性が高いとき、ロック装置により噴射装置１２による着色液の噴射を禁止させることで、着色液の誤噴射により周囲の人間に多大な迷惑をかける事態を防止することができる。
【００６７】
また、犯人に対して刺激臭のある着色液が噴射されてもよい。この場合、犯人に対して「匂いで犯行がばれたらどうしよう」等、心理的圧迫感を与え、犯行のさらなる継続を思いとどまらせることができる。
【００６８】
また、握力検知装置１１及び噴射装置１２のうち一方又は両方、特に多孔体１２２に蛍光塗料が塗布されていてもよい。さらに防犯装置１０は、握力検知装置１１及び噴射装置１２のうち一方又は両方、特に多孔体１２２に光を断続的又は連続的に照射するライトを備えていてもよい。
【００６９】
当該構成の防犯装置１０によれば、握力検知装置１１及び噴射装置１２のうち一方又は両方を目立たせることで犯人にユーザが防犯装置１０を装着していることを強く認識させ、これにより犯人が犯行に至るのを思いとどまらせる効果が期待できる。ユーザが人通りの少ない夜道を歩く場合には特に顕著な犯罪抑制効果が期待できる。
【図面の簡単な説明】
【００７０】
【図１】本発明の一実施形態としての防犯装置の構成説明図
【図２】本発明の一実施形態としての防犯装置の機能説明図
【符号の説明】
【００７１】
１０‥防犯装置、１１‥握力検知装置、１１０‥挿通孔、１１２‥第１部材、１１４‥第２部材、１２‥噴射装置、１２０‥孔、１２２‥多孔体、１２４‥貯蔵部、１２６‥ノズル部、２０‥マイクロコンピュータ、２１‥握力検知ユニット、２２‥噴射制御ユニット
【図１】
2006031634.tif 000003
【図２】
2006031634.tif 000004